(57)【要約】【課題】手作業で梱包作業を行なうとき用いる梱包用紐の結び目がほつれないようにすると同時に作業をしやすくする手作業器具を提供することを解決課題に設定した。【解決手段】梱包用紐については、紐の表面周囲に規則的又は不規則的な突起を設置し、ハサミ切断、折り曲げを容易な構造で均質に製造する。また、紐に伸縮性をもたせ、より緊縛しやすくした手作業器具については、設置する紐又は設置された紐を緊縛する器具、及び作業時に使用する紐通具を提供することとした。【選択図】図５
2014234238.tif 000002
【特許請求の範囲】
【請求項１】
手作業で梱包作業を行なうとき用いる可撓性の繋縛用の梱包用紐であって、
該梱包用紐の外周面の一端から他端に、規則的又は不規則的に突起が設置され、
前記梱包用紐は通常のハサミで容易に切断可能であり、かつ前記紐は、両端を両手で持って硬い物体の角部に当て容易に折り曲げ可能である、
ことを特徴とする梱包用紐。
【請求項２】
伸縮性が付与された請求項１の梱包用紐。
【請求項３】
手作業で梱包作業を行なうときの作業向上を図る板状の器具であって、
該器具は、器具の外周面に接する位置を始点とし、器具内部の最奥部を終点とした連続した切欠部又は開放部であって、
前記始点と前記終点は、それぞれが対で対称に設置され、
前記始点は、前記終点より前記器具平面の中心点に近い位置に設置され、
前記終点それぞれに梱包紐の張力がかかる点は、前記器具平面の中心点を通る直線上にある、
ことを特徴とする荷崩防止紐掛具。
【請求項４】
手作業で梱包作業を行なうときの作業向上を図る板状の器具であって、
該器具は、器具の外周面に接する位置を始点とし、器具内部の最奥部を終点とした連続した切欠部又は開放部であって、
前記始点と前記終点は、前記器具平面の中心点を対称にそれぞれが設置され、
前記始点は、前記終点より前記器具平面の中心点より遠い位置に設置された、
ことを特徴とする荷崩防止紐掛具。
【請求項５】
中心部に、手動で廻すカギ穴切欠部が設置された請求項４の荷崩防止紐掛具。
【請求項６】
手作業で梱包作業を行なうときの作業向上を図る器具であって、
該器具は、両端に梱包用紐に引っ掛けるフック部が設置され、両端のフック部の中間に連結部が設置され、
両端のフック部と連結部は、連結されており、
それぞれのフック部の最先端は、フック部の内周部の最奥部よりそれぞれ連結部に近く、
連結部は、伸縮可能か又はひねり可能である、
ことを特徴とする紐張力向上掛具。
【請求項７】
手作業で梱包作業を行なうときの作業向上を図る器具であって、
該器具は、フック部と紐取付部を具備し、
該フック部は、梱包用紐に引っ掛可能なフック部であり、
前記紐取付部は、他の紐が取り付可能な紐取付部であり、
前記紐取付部は前記フック部に相似形状であるか、又は前記フック部の一端にアルファベット大文字のＴ字形状若しくはＪ字形状の直線部分が接続されているか、又は前記フック部の一端に他の紐が設置可能な突起又は切欠部が設置された、
ことを特徴とする紐張力向上掛具。
【請求項８】
手作業で梱包作業を行なうときの作業向上を図る器具であって、
該器具は、刺込部と持部と紐引掛部とを具備し、
該刺込部は、梱包用紐を梱包材料の下に通し又既に梱包材料に巻かれた梱包用紐の下部に刺し通す刺込部であって、先端が細いか又は薄く成型され、
前記持部には梱包用紐を引っ掛ける切欠部が設置され、
前記刺込部と前記持部と前記紐引掛部それぞれの外表面は、なだらかな面に仕上げられた、
ことを特徴とする梱包用紐通具。
【請求項９】
持部が伸縮可能に製作された請求項９の梱包用紐通具。
【発明の詳細な説明】
【技術分野】
【０００１】  梱包用紐及び手作業器具に関する。
【背景技術】
【０００２】  本発明は、新規な物品を提供する発明である。大きく見て、大きく見て梱包用紐と手作業器具の二種類の発明がある。
独立請求項は梱包用紐１、手作業器具５つからなる。従属請求項は３つである。
手作業器具は３種類であり、荷崩防止紐掛具、紐張力向上掛具、梱包用紐通具である。
請求項の上では、荷崩防止紐掛具は二種類で二つの独立請求項、紐張力向上掛具は二種類で二つの独立請求項、梱包用紐通具は一つで一つの独立請求項である。
以上６つの独立請求項の発明の具体的内容は、次のとおりである。
梱包用紐の発明は、手作業で梱包作業を行なうとき用いる可撓性の繋縛用の梱包用紐であって、該梱包用紐の外周面の一端から他端に、規則的又は不規則的に突起が設置され、
前記梱包用紐は通常のハサミで容易に切断可能であり、かつ前記紐は、両端を両手で持って硬い物体の角部に当て容易に折り曲げ可能である、ことを特徴とする梱包用紐、である。
荷崩防止紐掛具の発明の一つは、手作業で梱包作業を行なうときの作業向上を図る器具であって、該器具は、両端に梱包用紐に引っ掛けるフック部が設置され、両端のフック部の中間に連結部が設置され、両端のフック部と連結部は、連結されており、それぞれのフック部の最先端は、フック部の内周部の最奥部よりそれぞれ連結部に近く、連結部は、伸縮可能か又はひねり可能である、ことを特徴とする紐張力向上掛具、である。
荷崩防止紐掛具の発明の二つ目は、手作業で梱包作業を行なうときの作業向上を図る板状の器具であって、該器具は、器具の外周面に接する位置を始点とし、器具内部の最奥部を終点とした連続した切欠部又は開放部が設置され、前記始点と前記終点は、前記器具平面の中心点を点対称とした位置にそれぞれ設置され、前記始点は、前記終点より前記器具平面の中心点より遠い位置に設置された、ことを特徴とする荷崩防止紐掛具、である。
紐張力向上掛具の発明の一つ目は、手作業で梱包作業を行なうときの作業向上を図る器具であって、該器具は、両端に梱包用紐に引っ掛けるフック部が設置され、両端のフック部の中間に連結部が設置され、両端のフック部と連結部は、連続されており、それぞれのフック部の先端は、フック部の内周部それぞれの最凹部より連結部に近く、連結部は、伸縮可能か又はひねり可能である、ことを特徴とする紐張力向上掛具、である。
紐張力向上掛具の発明の二つ目は、手作業で梱包作業を行なうときの作業向上を図る器具であって、該器具は、フック部と紐取付部を具備し、該フック部は、梱包用紐に引っ掛可能なフック部であり、前記紐取付部は、他の紐が取り付可能な紐取付部であり、前記紐取付部は前記フック部に相似形状であるか、又は前記フック部の一端にアルファベット大文字のＴ字形状若しくはＪ字形状の直線部分が接続されているか、又は前記フック部の一端に他の紐が設置可能な突起又は切欠部が設置された、ことを特徴とする紐張力向上掛具、である。
梱包用紐通具は、手作業で梱包作業を行なうときの作業向上を図る器具であって、該器具は、刺込部と持部と紐引掛部とを具備し、該刺込部は、梱包用紐を梱包材料の下に通し又既に梱包材料に巻かれた梱包用紐の下部に刺し通す刺込部であって、先端が細いか又は薄く成型され、前記持部には梱包用紐を引っ掛ける切欠部が設置され、前記刺込部と前記持部と前記紐引掛部それぞれの外表面は、なだらかな面に仕上げられた、ことを特徴とする梱包用紐通具、である。【０００３】  これまでの文献調査によれば、梱包用のひもの発明において、紐に孔をあける文献がある。（例えば、特許文献１参照）。当該文献に関する技術は、突起を設置する技術ではなく、技術思想も技術構成も異なる。（特許文献１参照）。
また、紐を締める発明として、器具に切欠部を設置した文献がある。（例えば、特許文献２参照）。この文献に関する技術は、斜めの切欠部を対象に設置するとしているものの、紐を取り付ける時期を考慮した技術となっておらず、また紐の張力の方向を考慮した技術とはなっていない。（特許文献２参照）。
また、紐に張力を付与する発明において、フック部を活用する文献がある。（例えば、特許文献３参照）。この文献に関する技術は、フック部に切欠部を設置する技術であり、フック部の他方にもう一つのフック部を設置するか又は紐取付部を設置する技術ではない。（特許文献３参照）。
さらに、紐に張力を付与する発明において、フック部を活用する文献がある。（例えば、特許文献４参照）。この文献に関する技術は、フック部の他方にもう一つのフック部を設置するか又は紐取付部を設置する技術ではない。（特許文献４参照）。
また、紐を縛り、締め付ける補助具として、切欠部を設置した文献がある。（例えば、特許文献５参照）。この文献に関する技術は、本発明の紐通具で活用する切欠部と技術思想、技術構成が異なる。（特許文献５参照）。
【先行技術文献】
【特許文献】
【０００４】
【特許文献１】  特開平８−１５６９６６号公報
【特許文献２】  特開２００１−２９４９１２号公報
【特許文献３】  実用新案登録第３１４４３８２号公報
【特許文献４】  特開２００６−３０６４１６号公報
【特許文献５】  特開２００４−２２４４３７号公報
【発明の概要】
【発明が解決しようとする課題】
【０００５】  本発明は、大きく見て梱包用紐と手作業器具の二種類の発明がある。梱包用紐は、一つには結束した綴紐が容易にほつれないようにすること、二つには、荷物が緊縛可能な伸縮可能な梱包用紐を提供することを課題とした。手作業器具は、作業向上を図る器具を提供することを課題とした。
【課題を解決するための手段】
【０００６】  梱包用紐については、当該紐の外周面に、突起を設置することとした。
手作業器具については、荷崩防止紐掛具、紐張力向上掛具、梱包用紐通具の３種類についてそれぞれ以下の手段を講じた。
荷崩防止紐掛具は、使用時期に応じた（梱包する時に使用する器具と一旦梱包をした荷物の緊縮固定として使用する器具）の２種類を考え、梱包紐の張力を考慮した切欠部を設置した。
紐張力向上掛具は、梱包した紐と紐に張力を発生させるための器具とし、危惧にフック部、結合部、紐結部を設置し、必要な手段を講じた。
梱包用紐通具は、持部、先端部、切欠部の三つの機能を設置し、持部は板状又は棒状とし先端部は荷物や紐の下に差し込むため細くするか又は薄くし、先端部の対局の位置に紐を引っ掛ける切欠部を設置した。
【発明の効果】
【０００７】  本発明によって、新たな梱包用紐の提供が可能である。
また、手作業によって梱包作業を進めるための幾つかの補助器具の提供が可能となり、梱包作業の効率化、能率化を図ることができる。
これらによって、新たな消費者ニーズの発掘、市場拡大が期待できる。
【図面の簡単な説明】
【０００８】
【図１】  本発明の請求項１に基づいて作成された梱包用紐を短く切り、紐表面に設置された突起について二例を示した斜視図である。基紐は、いずれも線状である。〔Ａ１〕  粒状の突起が設置された梱包用紐の一例の拡大斜視図  〔Ａ２〕  螺旋状の突起が設置された梱包用紐の一例の拡大斜視図
【図２】  本発明の請求項３に基づいて作成された荷崩防止掛具の一例を示した斜視図である。
【図３】  本発明の請求項４に基づいて作成された荷崩防止器具の一例を示した斜視図である。
【図４】  本発明の請求項６、請求項７に基づいて作成されたフック部の一例を示すと同時に、本発明の請求項７に基づいて作成された張力向上紐掛具が設置された一例を示した斜視図である。
【図５】  本発明の請求項８に基づいて作成された伸縮型の梱包用紐通具の一例を示した斜視図である。
【発明を実施するための形態】
【０００９】  本発明の各請求項に基づく各部の素材の選定、構造、組み立て方等本明細書に記載された事項に基づく対応は本発明の設計事項とする。
本発明の請求項１の梱包用紐の基盤となる紐の構造（以下、「其紐」という。）は、線状又は管状のものとする。其紐が帯状及びテープ状のものは、本発明に含めない。
本発明の請求項３及び請求項４の荷崩防止掛具は、器具にたわみ性があると、器具をたわませて梱包用紐を引っ掛けることができる。紐通路（始点と終点の中間の切欠部又は開口部）は、直線型であっても、曲線型であっても差し支えない。
請求項３及び請求項４の切欠部又は開口部の始点は、梱包用紐を挿入しやすいようにするため、間口を広く切り欠くと良い。また、それぞれの終点は、梱包用紐が外れないようにするため、紐通路（始点と終点の中間の切欠部又は開口部）より、横幅が大きくなるように切り欠くと良い。
【実施例１】
【０００１０】  実施例１は、梱包用紐に関するものである。
図１は、本発明の請求項１に基づいて作成された梱包用紐を短く切り、紐表面に設置された突起について二例を示した斜視図である。
〔Ａ１〕は、粒状の突起が設置された梱包用紐の一例の拡大斜視図
〔Ａ２〕は、螺旋状の突起が設置された梱包用紐の一例の拡大斜視図
梱包用紐の基線は、いずれも線状である。
Ａａは梱包用紐、ａ１−１は粒状突起、Ａｂは梱包用紐、ａ２−１は螺旋状突起、である。
なお請求項１の突起には、粒状、輪状、螺旋状の突起を含める。突起の並べ方は、粒状の突起を点在させ、また並べ、また算盤珠や数珠珠を其紐に設置したものも含めるものとする。但し、其紐に微細な粒子及び微細な凹凸模様が設置されたものは、突起に含めない。
請求項１の突起は、当該梱包用紐を手で取り扱ったとき、手の平や指に引っ掛からないように設置することが望ましい。
突起が設置された紐は、結び目がほつれがたい。
伸縮性を有する請求項２の梱包用紐は、荷物を緊縛するのに適している。
【実施例２】
【００１１】  図２は、本発明の請求項３に基づいて作成された荷崩防止掛具の一例を示した斜視図である。
Ｂは荷崩防止紐掛具（荷造りするとき使用：直線掛用）、である。ｘ１は紐掛切欠部の始点、ｘ２は紐掛切欠部の終点、である。ｘ３は紐掛切欠部の始点、ｘ４は紐掛切欠部の終点、である。
荷造りするときに使用荷崩防止掛具は、それぞれの切欠部の終点は、それぞれの切欠部の始点より器具中心部から遠いことが特徴である。切欠部の終点が器具の中心部から遠いことによって、器具に掛けられた紐の張力支点が移動することになり器具が安定する。
紐の切欠部又は開口部は、図２のように２孔型であっても、４孔型であっても、他孔型であっても良い。
【実施例３】
【００１２】  図３は、本発明の請求項４に基づいて作成された荷崩防止器具の一例を示した斜視図である。
Ｃは荷崩防止紐掛具（紐掛が終わった後に使用：クロス部分掛用）である。ａ１、ｂ１、ｃ１、ｄ１は、それぞれ紐掛切欠部の始点、である。ａ２、ｂ２、ｃ２、ｄ２は、はそれぞれ紐掛切欠部の終点、である。ｘは荷崩防止器具の鍵穴（手回ハンドル用鍵穴）、である。
紐掛が終わった後に使用する荷崩防止掛具は、切欠部の終点は、切欠部の始点より器具中心部から近いことが特徴である。切欠部の終点によって、紐をを固定することができる。
紐の切欠部又は開口部は、図３のように４孔型であっても、２孔型であっても、他孔型であっても良い。
請求項５の荷崩防止器具の鍵穴に設置する器具は、片手で把持可能な円盤又は球体状その他の形態に成型した物体中心部に心棒を設置し、当該心棒を前記鍵穴に通すことが可能なものであれば良い。
【実施例４】
【００１３】  図４は、本発明の請求項６、請求項７に基づいて作成されたフック部の一例を示すと同時に、本発明の請求項７に基づいて作成された張力向上紐掛具が設置された一例を示した斜視図である。
Ｅはフック部、ｅ１はフック部凹部最奥部、ｅ２はフック部最先端、である。
Ｆはフック部に接続されたＴ字形状部、である。
ＧはＴ字形状部に設置された伸縮性紐、である。
【実施例５】〔その他〕【００１４】  図５は、本発明の請求項９に基づいて作成された伸縮型の梱包用紐通具の一例を示した斜視図である。
Ｈは伸縮可能型の梱包用紐通具である。
ｈ１は差込部、ｈ２は持部、ｈ３は梱包用紐の引っ掛け切欠部である。
請求項８の梱包用紐通具は、棒状又は板状のものである必要があり、請求項９の梱包用紐通具は、筒状又は折畳式にして伸縮可能にする必要がある。
【符号の説明】
【００１５】（図１、請求項１関係）
Ａａ  梱包用紐
ａ１−１  紐に設置された粒状の突起
Ａｂ  梱包用紐
ａ２−１  紐に設置された螺旋状の突起
（図２、請求項３関係）
Ｂ  荷崩防止紐掛具（荷造りするとき使用：直線掛用）
ｂ１−１  紐掛切欠部の始点
ｂ１−２  紐掛切欠部の終点
ｂ２−１  紐掛切欠部の始点
ｂ２−２  紐掛切欠部の終点
（図３、請求項４、請求項５関係）
Ｃ  荷崩防止紐掛具（紐掛が終わった後に使用：クロス部分掛用）
ａ１  紐掛切欠部の始点
ａ２  紐掛切欠部の終点
ｂ１  紐掛切欠部の始点
ｂ２  紐掛切欠部の終点
ｃ１  紐掛切欠部の始点
ｃ２  紐掛切欠部の終点
ｄ１  紐掛切欠部の始点
ｄ２  紐掛切欠部の終点
ｘ  荷崩防止器具の鍵穴（手回ハンドル用鍵穴）
（図４、請求項６、請求項７関係）
Ｅ  フック部
ｅ１  フック部凹部最奥部
ｅ２  フック部凹部最先端部
Ｆ  Ｔ字形状部
Ｇ  Ｔ字形状部に設置された伸縮性紐
（図５、請求項８、請求項９関係）
Ｈ  伸縮可能型の梱包用紐通具
ｈ１  差込部
ｈ２  持部
ｈ３  梱包用紐の引っ掛け切欠部
【図１】
2014234238.tif 000003
【図２】
2014234238.tif 000004
【図３】
2014234238.tif 000005
【図４】
2014234238.tif 000006
【図５】
2014234238.tif 000007